(57)【要約】【課題】一のコルゲートチューブに他のコルゲートチューブを被せた後でも、一のコルゲートチューブに対して他のコルゲートチューブを長手方向に容易にずらすことができる技術を提供することを目的とする。【解決手段】螺旋型コルゲートチューブ２０は、全体として管状にされるとともに、谷部２２と前記谷部２２よりも外周側に突出する山部２４とを備える。前記谷部２２及び前記山部２４が、その長手方向に沿って螺旋状に連続する態様で、交互に存在するように形成されている。【選択図】図１
2016127615.tif 000002
【特許請求の範囲】
【請求項１】
全体として管状にされるとともに、谷部と前記谷部よりも外周側に突出する山部とを備え、
前記谷部及び前記山部が、その長手方向に沿って螺旋状に連続する態様で、交互に存在するように形成されている、螺旋型コルゲートチューブ。
【請求項２】
請求項１に記載の螺旋型コルゲートチューブであって、
その長手方向に沿って前記谷部の底部から前記山部の頂部に向けて外周面が徐々に広がる、螺旋型コルゲートチューブ。
【請求項３】
少なくとも１本の電線と、
前記電線に被せられた請求項１又は請求項２に記載の螺旋型コルゲートチューブと、
を備える、螺旋型コルゲートチューブ付電線。
【請求項４】
請求項３に記載の螺旋型コルゲートチューブ付電線であって、
前記螺旋型コルゲートチューブを複数備え、第１の螺旋型コルゲートチューブが第２の螺旋型コルゲートチューブの周囲に被せられている、螺旋型コルゲートチューブ付電線。
【発明の詳細な説明】
【技術分野】
【０００１】
この発明は、線材の周囲に取り付けられるコルゲートチューブに関する。
【背景技術】
【０００２】
車両に配設される電線には、当該電線の保護等を目的として、その周囲にコルゲートチューブが取り付けられることがある。このようなコルゲートチューブが、例えば、特許文献１に記載されている。
【０００３】
特許文献１に記載の螺旋溝切りコルゲートチューブは、蛇腹状に形成した円筒状のチューブ本体に、スリットを螺旋状に、チューブ本体の全長に亘って形成したとされている。
【先行技術文献】
【特許文献】
【０００４】
【特許文献１】特開平７−１３５７１５号公報
【発明の概要】
【発明が解決しようとする課題】
【０００５】
ところで、上記コルゲートチューブに代表される従来のコルゲートチューブでは、蛇腹の山部及び谷部がそれぞれ独立した閉環状とされている。このため、従来のコルゲートチューブでは、一のコルゲートチューブに他のコルゲートチューブを一旦被せてしまうと、一のコルゲートチューブに対して他のコルゲートチューブを長手方向にずらしにくい恐れがあった。
【０００６】
そこで、本発明は、一のコルゲートチューブに他のコルゲートチューブを被せた後でも、一のコルゲートチューブに対して他のコルゲートチューブを長手方向に容易にずらすことができる技術を提供することを目的とする。
【課題を解決するための手段】
【０００７】
上記課題を解決するため、第１の態様に係る螺旋型コルゲートチューブは、全体として管状にされるとともに、谷部と前記谷部よりも外周側に突出する山部とを備え、前記谷部及び前記山部が、その長手方向に沿って螺旋状に連続する態様で、交互に存在するように形成されている。
【０００８】
第２の態様に係る螺旋型コルゲートチューブは、第１の態様に係る螺旋型コルゲートチューブであって、その長手方向に沿って前記谷部の底部から前記山部の頂部に向けて外周面が徐々に広がる。
【０００９】
第３の態様に係る螺旋型コルゲートチューブ付電線は、少なくとも１本の電線と、前記電線に被せられた第１又は第２の態様に係る螺旋型コルゲートチューブと、を備える。
【００１０】
第４の態様に係る螺旋型コルゲートチューブ付電線は、第３の態様に係る螺旋型コルゲートチューブ付電線であって、前記螺旋型コルゲートチューブを複数備え、第１の螺旋型コルゲートチューブが第２の螺旋型コルゲートチューブの周囲に被せられている。
【発明の効果】
【００１１】
第１又は第２の態様に係る螺旋型コルゲートチューブによると、全体として管状にされるとともに、谷部と谷部よりも外周側に突出する山部とを備え、谷部及び山部が、その長手方向に沿って螺旋状に連続する態様で、交互に存在するように形成されているため、一のコルゲートチューブに他のコルゲートチューブを被せた後でも、一のコルゲートチューブに対して他のコルゲートチューブを捩じることで、両者を長手方向に相対的に容易にずらすことができる。
【００１２】
特に、第２の態様に係る螺旋型コルゲートチューブによると、山部の頂部と谷部の底部とが傾斜面２６で結ばれているため、一のコルゲートチューブと他のコルゲートチューブとの間でピッチや角度等に多少の誤差等が生じている場合でも、被せにくくなることを抑制することができる。
【００１３】
第３又は第４の態様に係る螺旋型コルゲートチューブ付電線によると、電線に螺旋型コルゲートチューブが被せられているため、螺旋型コルゲートチューブを取り付けた後に保護領域を拡大したい場合等に、別の螺旋型コルゲートチューブをすでに取り付けられている螺旋型コルゲートチューブに被せやすい。また、この場合、一のコルゲートチューブに対して他のコルゲートチューブを捩じることで、両者を長手方向に相対的に容易にずらすことができる。
【００１４】
特に、第４の態様に係る螺旋型コルゲートチューブ付電線によると、螺旋型コルゲートチューブを複数備え、第１の螺旋型コルゲートチューブが第２の螺旋型コルゲートチューブの周囲に被せられているため、第２の螺旋型コルゲートチューブに対して第１の螺旋型コルゲートチューブを捩じることで、長手方向に容易にずらすことができる。また、複数の螺旋型コルゲートチューブを重ねて用いること、及び、重ねられた複数の螺旋型コルゲートチューブを長手方向に相対的に容易にずらすことができることによって、１つの品番のコルゲートチューブで様々な電線長に対応することができる。
【図面の簡単な説明】
【００１５】
【図１】実施形態に係る螺旋型コルゲートチューブを示す平面図である。
【図２】螺旋型コルゲートチューブの一製造方法例を概念的に示す図である。
【図３】螺旋型コルゲートチューブの一製造方法例を示す説明図である。
【図４】２つの金型をそれぞれ内周面側から見た図である。
【図５】実施形態に係る螺旋型コルゲートチューブを電線に取り付ける様子を示す説明図である。
【図６】実施形態に係る螺旋型コルゲートチューブを電線に取り付ける様子を示す説明図である。
【図７】螺旋型コルゲートチューブの変形例を示す平面図である。
【図８】螺旋型コルゲートチューブの別の変形例を示す平面図である。
【発明を実施するための形態】
【００１６】
｛実施形態｝
以下、実施形態に係る螺旋型コルゲートチューブ２０について説明する。図１は、実施形態に係る螺旋型コルゲートチューブ２０を示す平面図である。
【００１７】
実施形態に係る螺旋型コルゲートチューブ２０は、全体として管状に形成されている。螺旋型コルゲートチューブ２０は、谷部２２と谷部２２よりも外周側に突出する山部２４とを備える。螺旋型コルゲートチューブ２０は、電線１２等の線材を保護することなどを目的として、当該線材の周囲に取り付けられる。
【００１８】
谷部２２及び山部２４は、螺旋型コルゲートチューブ２０の長手方向に沿って螺旋状に連続する態様で形成されている。また、谷部２２及び山部２４が、螺旋型コルゲートチューブ２０の長手方向に沿って交互に存在するように形成されている。ここでは、螺旋型コルゲートチューブ２０の長手方向一端から他端に向かって、谷部２２及び山部２４の螺旋は反時計回りに形成されている。
【００１９】
ここでは、谷部２２及び山部２４が、螺旋型コルゲートチューブ２０の長手方向に沿って一端から他端まで途中で途切れることなく螺旋の軌跡を描きながら一続きに形成されている。このような螺旋型コルゲートチューブ２０は、例えば、一の螺旋型コルゲートチューブ２０が他の螺旋型コルゲートチューブ２０に被せられる場合であって、内側の螺旋型コルゲートチューブ２０及び外側の螺旋型コルゲートチューブ２０に同形状の螺旋型コルゲートチューブ２０を用いる場合などに好適である。
【００２０】
もっとも、谷部２２及び山部２４が、螺旋型コルゲートチューブ２０の長手方向に沿って一端から他端まで途切れていないことは必須ではない。谷部２２及び山部２４は、断続的、つまり途中で途切れている箇所が存在するように形成されている場合でも、途切れている部分を補うようにして全体として見ると、螺旋状の軌跡を描くように形成されていればよい。このようなコルゲートチューブは、例えば、一の螺旋型コルゲートチューブ２０が他の螺旋型コルゲートチューブ２０に被せられる場合であって、内側の螺旋型コルゲートチューブ２０及び外側の螺旋型コルゲートチューブ２０に異なる形状の螺旋型コルゲートチューブ２０を用いる場合などに好適である。より詳細には、内側の螺旋型コルゲートチューブ２０の山部２４が断続的に連続するように形成されるとともに、外側の螺旋型コルゲートチューブ２０の谷部２２が断続的に連続するように形成されると、両者を嵌め易くなる。
【００２１】
また、螺旋型コルゲートチューブ２０は、その長手方向に沿って谷部２２の底部から山部２４の頂部に向けて外周面が徐々に広がるように形成されている。これにより、一のコルゲートチューブに他のコルゲートチューブを嵌める際に、一のコルゲートチューブと他のコルゲートチューブとの間でピッチや角度等に多少の誤差等が生じている場合でも、被せにくくなることを抑制することができる。
【００２２】
具体的には、ここでは、平面視において谷部２２の底部及び山部２４の頂部は、螺旋型コルゲートチューブ２０の長手方向に平行に設定されている。そして、谷部２２の底部及び山部２４の頂部を、螺旋型コルゲートチューブ２０の長手方向と斜めに交差する方向に延びる傾斜面２６が結んでいる。
【００２３】
もっとも、螺旋型コルゲートチューブ２０は、その長手方向に沿って谷部２２の底部から山部２４の頂部に向けて外周面が徐々に広がるように形成されていることは必須ではない。例えば、谷部２２の底部と山部２４の頂部とが、その長手方向に直交する面で結ばれていてもよい。また、螺旋型コルゲートチューブ２０が、その長手方向に沿って谷部２２の底部から山部２４の頂部に向けて外周面が徐々に広がるように形成されている場合でも、谷部２２の底部及び山部２４の頂部を傾斜面２６が結ぶことは必須ではない。例えば、山部２４及び谷部２２は、螺旋型コルゲートチューブ２０の長手方向に沿ってサインカーブ等全体に湾曲するような形状に形成されていることもあり得る。
【００２４】
また、山部２４及び谷部２２のピッチは、適宜設定されればよい。山部２４及び谷部２２のピッチが大きいと、２つの螺旋型コルゲートチューブ２０を相対的に一周捩じることによる長手方向への相対的な移動量が大きくなる。この際、山部２４及び谷部２２のピッチに関わる数値として、平面図における螺旋型コルゲートチューブ２０の長手方向と直交する方向に対する螺旋の傾き具合がある。また、螺旋型コルゲートチューブ２０の径も、山部２４及び谷部２２のピッチに関わる。これらの値についても、適宜設定されればよい。
【００２５】
螺旋型コルゲートチューブ２０には、その長手方向に沿って一端から他端にかけて全体に亘るスリットが形成されていることが好ましい。当該スリットが形成されることにより、スリットから割り開いて螺旋型コルゲートチューブ２０を線材又は別の螺旋型コルゲートチューブ２０に容易に取り付けることができる。
【００２６】
＜製造方法＞
次に、上記螺旋型コルゲートチューブ２０の一製造方法例について説明する。図２は、螺旋型コルゲートチューブ２０の一製造方法例を概念的に示す図である。図３は、螺旋型コルゲートチューブ２０の一製造方法例を示す説明図である。図４は、２つの金型６０をそれぞれ内周面側から見た図である。
【００２７】
螺旋型コルゲートチューブ２０は、従来のコルゲートチューブと同様に、例えば、ブロー成形法によって製造することができる。ここでは、コルゲートチューブ金型成形装置５０を用いた螺旋型コルゲートチューブ２０の製造方法について説明する。
【００２８】
コルゲートチューブ金型成形装置５０は、押出機５２と、複数対の金型６０と、金型移動機構部６９とを備える。
【００２９】
押出機５２は、溶融した樹脂材料を、先端に設けられたダイス５３とその内側に配設されたポイントとの隙間を通じて押し出し、筒状（ここでは略円筒状）の押出部材５１として連続供給するように構成されている。押出機５２は、閉状態の一対の金型６０内に筒状の樹脂材料を押し出すため、ダイス５３の先端部が、成形路Ｒ中の上流位置で閉状態の一対の金型６０間に位置するように配設されている。
【００３０】
一対の金型６０は、突き合せて配置された閉状態で、螺旋型コルゲートチューブ２０の外形状に対応した形状の金型面６１をそれぞれ有している。各金型面６１は、図４に示されるように、螺旋型コルゲートチューブ２０の外表面形状を、その軸方向に沿った面で２分割した形状に形成されている。この一対の金型６０は複数対用意されている。
【００３１】
ここで、一対の金型６０の金型面６１について、突き合わされて互いに接する面（以降、接面と称する）に形成されている金型面６１ａを例にとり、より詳しく見ていく。
【００３２】
接面においては、螺旋型コルゲートチューブ２０の山部２４に相当する部分が凹部とされている。そして、一方の金型６０ａの接面６２のうち図４で左側に位置する接面６２ａにおける凹部６３ａが、他方の金型６０ｂの接面６４のうち図４で右側に位置する接面６４ａにおける凹部６５ａに対応する。同様に、一方の金型６０ａの接面６２のうち図４で右側に位置する接面６２ｂにおける凹部６３ｂが、他方の金型６０ｂの接面６４のうち図４で左側に位置する接面６４ｂにおける凹部６５ｂに対応する。
【００３３】
また、一方の金型６０ａについてその成形路Ｒに沿って見ると、図４で左側に位置する接面６２ａにおいて間隔をあけて形成される凹部６３ａ同士の間に、右側における接面６２ｂの凹部６３ｂが位置する。そして、図４で左側に位置する接面６２ａにおける凹部６３ａの一つと図４で右側に位置する接面６２ｂにおける凹部６３ｂの一つとを結ぶように金型面６１に溝６１ｂが形成されている。つまり、溝６１ｂで結ばれる一対の凹部６３ａ，６３ｂは、当該溝６１ｂの両端をなす。そして、当該溝６１ｂに接触するように押出部材５１が押圧されることで、山部２４が形成される。
【００３４】
そして、一対の金型６０の対応する１つの凹部６３ａ，６５ａについて見ると、一方の金型６０ａと他方の金型６０ｂとで、溝で結ばれる相手方の凹部６３ｂ，６５ｂが異なるように設定されている。より詳細には、一対の金型６０の対応する１つの凹部６３ａ，６５ａにおいて、一方の金型６０ａでは、自身より成形路Ｒに沿って下流側に位置する凹部６３ｂと結ばれるのに対し、他方の金型６０ｂでは、自身より成形路Ｒに沿って上流側に位置する凹部６４ｂと結ばれる。
【００３５】
以上のように形成された金型６０を用いることにより、山部２４及び谷部２２を螺旋状に形成することができる。
【００３６】
この際に、ここでは、螺旋が一筋のみであるため、成形路Ｒに沿った一方側で一番近い凹部６３ａ，６３ｂ同士が結ばれている。なお、結ぶ凹部同士の位置を変えることで、螺旋の本数を変えることができる。例えば、成形路Ｒに沿った一方側で２番目に近い凹部同士が結ばれることで、螺旋が二筋形成される。また、結ぶ凹部同士の位置を変えることで、螺旋を時計回りに変えることができる。例えば、一対の金型６０の対応する１つの凹部６３ａ，６５ａにおいて、一方の金型６０ａでは、自身より成形路Ｒに沿って上流側に位置する凹部６３ｂと結び、他方の金型６０ｂでは、自身より成形路Ｒに沿って下流側に位置する凹部６４ｂと結ぶことで、螺旋が時計回りになる。
【００３７】
金型移動機構部６９は、複数対の金型６０を、それぞれ、一対の無端環状の移動路に沿って移動させるように構成されている。そして、金型移動機構部６９は、移動路のうち一対の移動路が隣合う成形路Ｒで、各移動路に沿って移動される一対の金型６０を突き合わせた閉状態にしたまま、成形路Ｒの上流側から下流側に向けて移動させる。また、金型移動機構部６９は、移動路中の成形路Ｒ以外の位置では、一対の金型６０を離れさせた開状態で各移動路を移動させる。
【００３８】
例えば、金型移動機構部６９としては、複数の金型６０を無端環状のチェーンにそれぞれ連結し、モータにより歯車を回転させて当該チェーンを送ることにより、複数対の金型６０を移動させる構成を採用することができる。
【００３９】
上記コルゲートチューブ金型成形装置５０を用いて螺旋型コルゲートチューブ２０を製造するには、例えば、以下のようにすればよい。
【００４０】
即ち、押出機５２から、軟化させた樹脂材である円筒状の押出部材５１を、ダイス５３を通して金型６０の内部に送り込む。そして、金型６０の内部に挿入された押出部材５１内部に、加圧気体を送り込む。これによって、押出部材５１が、その外周に配された金型６０へと押圧され、金型６０の成形面に接触し、既定の形状に成形される。そして、温度低下によって、押出部材５１が所要程度にまで固化すると、金型６０が開放される。金型６０を移動させることで、以上の工程が連続的に行われ、連続的に成形された螺旋型コルゲートチューブ２０が得られる。この連続的に成形された螺旋型コルゲートチューブ２０は、例えば、空気又は液体等を用いた冷却部６６を経て冷却された後、リール６７に巻取って収容される。
【００４１】
もっとも、押出機５２から供給された押出部材５１を金型面６１に密着させるのに、押出部材５１の内部に空気を送り込むブロー成形法を用いることは必須ではない。例えば、金型６０に樹脂材料を吸引する吸引孔が形成され、当該吸引孔から空気を吸引することによって、樹脂材料を金型面６１に吸着する構成（バキューム成形法）を採用してもよい。なお、バキューム成形法とブロー成形法とを併用することも考えられる。
【００４２】
＜螺旋型コルゲートチューブ付電線＞
次に、螺旋型コルゲートチューブ２０を電線１２に取り付けた螺旋型コルゲートチューブ付電線１０について、その取付方法例と共に説明する。ここでは、電線１２の周囲に２つの螺旋型コルゲートチューブ２０を取り付けるものを例にとり説明する。図５及び図６は、実施形態に係る螺旋型コルゲートチューブ２０を電線１２に取り付ける様子を示す説明図である。
【００４３】
ここで、まず螺旋型コルゲートチューブ２０が取り付けられる電線１２に付いて説明する。
【００４４】
電線１２は、少なくとも１本用いられていればよい。電線１２は、芯線の外周に樹脂が押出被覆等されることで被覆部が形成された構成とされている。電線１２の端部にはコネクタが設けられ、車両等の配設対象箇所に配設された状態で、車両等に搭載された各種電気機器同士を電気的に接続するものとして用いられる。なお、ワイヤーハーネスには、光ファイバ等が電線１２に沿って配設されていてもよい。また、電線１２は複数本が束ねられていてもよい。
【００４５】
電線１２の周囲に螺旋型コルゲートチューブ２０を取り付ける際、螺旋型コルゲートチューブ２０に全体に亘るスリットが設けられている場合は、スリットから割り開いて電線１２に直接被せるように取り付ける。また、螺旋型コルゲートチューブ２０に全体に亘るスリットが設けられていない場合は、電線１２の一端から順次螺旋型コルゲートチューブ２０の内部に挿通していく。
【００４６】
こうして２つの螺旋型コルゲートチューブ２０を電線１２に取り付けたら、次に、２つの螺旋型コルゲートチューブ２０のうち第１の螺旋型コルゲートチューブ２０ａを第２の螺旋型コルゲートチューブ２０ｂに被せる。この際に、内側の第２の螺旋型コルゲートチューブ２０ｂの山部２４の外周面が外側の第１の螺旋型コルゲートチューブ２０ａの山部２４の内周面に対向するように被せる。なお、螺旋型コルゲートチューブ２０に全体に亘るスリットが設けられている場合は、スリットから割り開いて第１の螺旋型コルゲートチューブ２０ａを第２の螺旋型コルゲートチューブ２０ｂに直接被せるとよい。また、螺旋型コルゲートチューブ２０に全体に亘るスリットが設けられていない場合は、第１の螺旋型コルゲートチューブ２０ａ及び第２の螺旋型コルゲートチューブ２０ｂの長手方向端部を合わせた状態で順次捩じるようにして被せていくとよい。
【００４７】
そして、２つの螺旋型コルゲートチューブ２０のうち第１の螺旋型コルゲートチューブ２０ａが第２の螺旋型コルゲートチューブ２０ｂに一旦被せられたら、あとは、一方の螺旋型コルゲートチューブ２０に対して、他方の螺旋型コルゲートチューブ２０を捩じっていくことで、一方の螺旋型コルゲートチューブ２０に対して、他方の螺旋型コルゲートチューブ２０をその長手方向に沿って容易に移動させることができる。
【００４８】
より詳細には、一方の螺旋型コルゲートチューブ２０に対して、他方の螺旋型コルゲートチューブ２０を捩じることで、２つの螺旋型コルゲートチューブ２０のうちの重なり合っている部分で、内側に位置する第２の螺旋型コルゲートチューブ２０ｂの外向き面のうち側方を向く面（ここでは、傾斜面２６の外向き面）と外側に位置する第１の螺旋型コルゲートチューブ２０ａの内向き面のうち側方を向く面（ここでは、傾斜面２６の内向き面）とが接触する。これにより、一方の螺旋型コルゲートチューブ２０に対して、他方の螺旋型コルゲートチューブ２０が当該接触面に沿って螺旋の向きに摺動することによって、一方の螺旋型コルゲートチューブ２０に対して、他方の螺旋型コルゲートチューブ２０がその長手方向に沿って移動することができる。
【００４９】
この際、ここでは、螺旋型コルゲートチューブ２０の長手方向一端から他端に向かって、螺旋は反時計回りに形成されているため、第２の螺旋型コルゲートチューブ２０ｂに対して第１の螺旋型コルゲートチューブ２０ａを時計回りに回すことで、図６において、第２の螺旋型コルゲートチューブ２０ｂに対して第１の螺旋型コルゲートチューブ２０ａが左に移動する。また、第２の螺旋型コルゲートチューブ２０ｂに対して第１の螺旋型コルゲートチューブ２０ａを反時計回りに回すことで、図６において、第２の螺旋型コルゲートチューブ２０ｂに対して第１の螺旋型コルゲートチューブ２０ａが右に移動する。
【００５０】
また、２つの螺旋型コルゲートチューブ２０として同形状の螺旋型コルゲートチューブ２０を採用しているが、このことは必須ではない。例えば、２つの螺旋型コルゲートチューブ２０として、長さ、径、又はピッチ等の異なる物を採用してもよい。螺旋の向きが揃っており、ある程度ピッチの近いものであれば、重ねた状態で捩じって移動させることができる。さらに、２つの螺旋型コルゲートチューブ２０として同形状の螺旋型コルゲートチューブ２０を採用することで、１つの品番のコルゲートチューブで様々な電線長に対応することができる。これにより、部材管理が容易になり、コストの削減を図ることができる。
【００５１】
なお、ここでは、第１の螺旋型コルゲートチューブ２０ａは第２の螺旋型コルゲートチューブ２０ｂに対して一部のみ被さっているが、このことは必須ではない。第１の螺旋型コルゲートチューブ２０ａは第２の螺旋型コルゲートチューブ２０ｂに対して全体的に被さっていてもよい。
【００５２】
また、２つの螺旋型コルゲートチューブ２０にそれぞれ全体に亘るスリットが形成されている場合は、第１の螺旋型コルゲートチューブ２０ａが第２の螺旋型コルゲートチューブ２０ｂに被さった状態で、それぞれのスリットを周方向に互いに異なる位置に位置させると、被さった部分のスリットからの電線１２のはみ出しを抑制することができる。
【００５３】
また、一方の螺旋型コルゲートチューブ２０に対して、他方の螺旋型コルゲートチューブ２０が所望の位置まで達したら、両者をテープ等で巻回して固定してもよい。また、螺旋型コルゲートチューブ２０と電線１２とをテープ等で固定してもよい。
【００５４】
また、ここでは、２つの螺旋型コルゲートチューブ２０を電線１２に取り付ける際にそれぞれ重ならないように電線１２に取り付けているが、このことは必須ではない。一方の螺旋型コルゲートチューブ２０を先に電線１２に取り付け、当該一方の螺旋型コルゲートチューブ２０の周囲に重なるように、他方の螺旋型コルゲートチューブ２０を取り付けてもよい。また、電線１２に取り付ける前に２つのコルゲートチューブを被せ合わせてから、被せ合わされた２つの螺旋型コルゲートチューブ２０を電線１２に取り付けてもよい。
【００５５】
実施形態に係る螺旋型コルゲートチューブ２０及び螺旋型コルゲートチューブ付電線１０によると、全体として管状にされるとともに、谷部２２と谷部２２よりも外周側に突出する山部２４とを備え、谷部２２及び山部２４が、その長手方向に沿って螺旋状に連続する態様で、交互に存在するように形成されているため、一のコルゲートチューブに他のコルゲートチューブを被せた後でも、一のコルゲートチューブに対して他のコルゲートチューブを捩じることで、両者を長手方向に相対的に容易にずらすことができる。
【００５６】
また、山部２４の頂部と谷部２２の底部とが傾斜面２６で結ばれているため、一のコルゲートチューブと他のコルゲートチューブとの間でピッチや角度等に多少の誤差等が生じている場合でも、被せにくくなることを抑制することができる。
【００５７】
また、電線１２に螺旋型コルゲートチューブ２０が被せられているため、螺旋型コルゲートチューブ２０を取り付けた後に保護領域を拡大したい場合等に、別の螺旋型コルゲートチューブ２０をすでに取り付けられている螺旋型コルゲートチューブ２０に被せやすい。また、この場合、一のコルゲートチューブに対して他のコルゲートチューブを捩じることで、両者を長手方向に相対的に容易にずらすことができる。
【００５８】
また、螺旋型コルゲートチューブ２０を複数備え、第１の螺旋型コルゲートチューブ２０ａが第２の螺旋型コルゲートチューブ２０ｂの周囲に被せられているため、第２の螺旋型コルゲートチューブ２０ｂに対して第１の螺旋型コルゲートチューブ２０ａを捩じることで、長手方向に容易にずらすことができる。また、複数の螺旋型コルゲートチューブ２０を重ねて用いること、及び、重ねられた複数の螺旋型コルゲートチューブ２０を長手方向に相対的に容易にずらすことができることによって、１つの品番のコルゲートチューブで様々な電線１２長に対応することができる。
【００５９】
｛変形例｝
次に、螺旋型コルゲートチューブ２０の変形例について説明する。図７は、螺旋型コルゲートチューブ２０の変形例を示す平面図である。図８は、螺旋型コルゲートチューブ２０の別の変形例を示す平面図である。
【００６０】
上記実施形態において、螺旋型コルゲートチューブ２０は、その長手方向に沿って谷部２２及び山部２４が１本ずつ螺旋状に連なるように形成されているが、このことは必須ではない。例えば、図７の変形例に係る螺旋型コルゲートチューブ１２０のように、２本の谷部１２２ａ，１２２ｂ及び山部１２４ａ，１２４ｂが螺旋状に連なるなど、谷部及び山部が複数本ずつ連なっていてもよい。谷部及び山部が複数本ずつ連なる螺旋型コルゲートチューブは、上述したように、金型面６１において結ばれる凹部の位置を変えることで形成される。
【００６１】
また、上記実施形態において、谷部２２の幅（螺旋型コルゲートチューブ２０の長手方向に沿った谷部２２の寸法）が、山部２４の幅（螺旋型コルゲートチューブ２０の長手方向に沿った山部２４の寸法）よりも大きく設定されているが、このことは必須ではない。谷部の幅と山部の幅とは、同じであってもよいし、谷部の幅の方が山部の幅よりも小さくてもよい。図８の変形例に係る螺旋型コルゲートチューブ２２０では、谷部２２２の幅と山部２２４の幅とがほぼ同じに設定されている。
【００６２】
また、上記実施形態において、螺旋型コルゲートチューブ２０の長手方向一端から他端に向かって、螺旋は反時計回りに形成されているが、このことは必須ではない。螺旋型コルゲートチューブ２０の長手方向一端から他端に向かって、螺旋が時計回りに形成されていてもよい。
【００６３】
なお、上記実施形態及び各変形例で説明した各構成は、相互に矛盾しない限り適宜組み合わせることができる。
【００６４】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００６５】
１０  螺旋型コルゲートチューブ付電線
１２  電線
２０，１２０，２２０  螺旋型コルゲートチューブ
２０ａ  第１の螺旋型コルゲートチューブ
２０ｂ  第２の螺旋型コルゲートチューブ
２２，１２２ａ，１２２ｂ，２２２  谷部
２４，１２４ａ，１２４ｂ，２２４  山部
【図１】
2016127615.tif 000003
【図２】
2016127615.tif 000004
【図３】
2016127615.tif 000005
【図４】
2016127615.tif 000006
【図５】
2016127615.tif 000007
【図６】
2016127615.tif 000008
【図７】
2016127615.tif 000009
【図８】
2016127615.tif 000010